(57)【要約】【課題】負帰還リニアライザ方式を用いたデジタル無線機において、温度変化や経年変化等でフォワードゲインやフィードバックゲインが変化してしまうと、歪み改善量が変わってしまい、隣接チャネルに影響を及ぼすという問題点がある。【解決手段】本発明は、フォワード部前後のレベルを検出し、その差が常に一定となるようフォワードゲインを調整することにより、送信特性の安定性を保つことを可能にしたものである。また、信号出力レベルを検出し、そのレベルが規定値となるようにフィードバックゲインを調整することで、より送信特性の安定性を保つことを可能にしたものである。【選択図】  図１
2004356686.tif 000002
【特許請求の範囲】
【請求項１】
増幅率を調整可能なフォワード部と、増幅率を調整可能なフィードバック部とから少なくとも構成される負帰還方式リニアライザを用いたデジタル無線機において、
前記フォワード部の増幅量を常時監視する手段と、前記フォワード部の増幅率を調整する手段とを具備することを特徴とするデジタル無線機。
【請求項２】
請求項１記載のデジタル無線機において、
上記フォワード部の入力レベルを検波する手段と、上記フォワード部の出力レベルを検波する手段と、前記入力レベルと前記出力レベルとの差分を求める手段と、前記差分が規定値となるように上記フォワード部の増幅率を調整する手段とを具備することを特徴とするデジタル無線機。
【請求項３】
請求項１または２記載のデジタル無線機において、
送信出力レベルを検波する手段と、前記出力レベルが規定値となるように上記フィードバック部の増幅率を調整する手段とを具備することを特徴とするデジタル無線機。
【発明の詳細な説明】
【０００１】
【発明の属する技術分野】
本発明は、フォワードゲインの調整を行う負帰還方式リニアライザを用いたデジタル無線機に関するものである。
【０００２】
【従来の技術】
線形デジタル変調方式、例えば１６ＱＡＭ（Ｑｕａｄｒａｔｕｒｅ  Ａｍｐｌｉｔｕｄｅ  Ｍｏｄｕｌａｔｉｏｎ）や、π／４シフトＱＰＳＫ（Ｑｕａｄｒａｔｕｒｅ  Ｐｈａｓｅ  Ｓｈｉｆｔ  Ｋｅｙｉｎｇ）等を利用した無線システムにおいては、電力増幅器の非線形歪みを補償することが必須技術であり、各種の非線形歪み補償方式（リニアライザ）が用いられている。その中でも負帰還方式のリニアライザは広く利用されている。図３は負帰還方式のリニアライザの原理構成図である。
【０００３】
図３において、入力信号ｘ（ｔ）がフォワード部で増幅されるゲイン量（以下、フォワードゲインと称する）をＡ、フィードバック部で増幅されるゲイン量（以下、フィードバックゲインと称する）をβ、オープンループ利得をＡ・βとおくと、Ａ・β≫  １の条件下での出力信号ｙ（ｔ）は、式（１）のように表すことができる。
【０００４】
【数１】
2004356686.tif 000003
【０００５】
つまり、出力レベルはフィードバックゲインβで決まり、歪み成分は（Ａ・β）−１に改善されることが分かる。
【０００６】
図４は従来方式のフォワードゲイン調整回路、およびフィードバックゲイン調整回路を持った、負帰還方式のリニアライザを用いたデジタル無線機送信部の構成を示すブロック図である。
【０００７】
１はデジタル変調信号入力端子、２は加算器、３はフォワード部、４は信号出力端子、５はフィードバック部である。また、６はコンパレータ、７は比較値設定部、８はフォワードゲイン調整部、１６はレベル検波部、１７はセレクタ、１８は初期値格納メモリ、１９はコンパレータ、２０はフィードバックゲイン調整部である。
【０００８】
以下、フォワードゲインの初期調整方法について説明する。
まず、デジタル変調信号入力端子１より固定値を入力する。与えられた固定値は加算器２の加算（＋）入力側に入力し、加算器２の出力はフォワード部３に入力される。フォワード部３の出力は、信号出力端子４から出力信号を出力すると共に、フィードバック部５に与えられる。フィードバック部５の出力は、加算器２の減算（−）入力側に入力する。この時、フォワード部３のフォワードゲインＡおよびフィードバック部５のフィードバックゲインβを設計値としたときのフォワード部３への入力レベル（理論値）を比較値設定部７に設定しておく。
【０００９】
次に、コンパレータ６にて比較値設定部７で設定された値とフォワード部３への入力レベル（実測値）を比較し、この２値が一致するようにフォワードゲイン調整部８を介してフォワード部３のフォワードゲインを調整し、前記２値の値が一致した時点で終了する。この時の調整値はフォワードゲイン調整部８で保持しておき、以後通常送信時には、前記保持した調整値を用いて動作させる。
【００１０】
また、レベルの変動を抑えるため、フィードバックゲインの調整が必要となる。以下フィードバックゲインの初期調整方法について説明する。
【００１１】
まず、セレクタ１７をピン１に接続し、デジタル変調信号入力端子１より変調信号を入力する。この時、信号出力端子４より出力されるレベルは、式（１）よりフィードバックゲインβのみで決まるため、規定レベルを出力するようフィードバック部５のフィードバックゲインを決定し、フィードバックゲイン調整部より初期調整値として設定しておく。また、規定レベルを出力した時のフィードバック部５の入力レベルをレベル検波部１６で求め、初期値格納メモリ１８へ格納しておく。
【００１２】
次に、通常送信時のフィードバックゲインの調整方法について説明する。この時、セレクタ１７はピン２に接続する。送信レベルを検出するため、フィードバック部５の入力レベルをレベル検波部１６で求め、レベル検波部１６の出力と初期値格納メモリ１８の出力結果を比較し、この２値が一致するようにフィードバックゲイン調整部２０の初期調整値を補正してフィードバック部５のフィードバックゲインを調整する。
【００１３】
以上により、フォワードゲイン、およびフィードバックゲインの調整を行う。なお、上記のような負帰還方式リニアライザを用いたデジタル無線機として、例えば、特許文献１のようなものがある。
【００１４】
【特許文献１】
特開２００１−３２６７００号公報
【００１５】
【発明が解決しようとする課題】
前述の従来技術では、フィードバックゲインβは常時監視し補正を行っているが、フォワードゲインＡは初期調整のみであるため、温度変化や経年変化等でフォワードゲインＡが変化してしまうと、式（１）に示すように歪み改善量が変わってしまい、隣接チャネルに影響を及ぼすという問題点がある。
【００１６】
本発明の目的は、温度変化や経年変化等で変わるフォワードゲインＡを、自動で補正することにより、安定な送信特性を持つ無線機を提供することにある。
【００１７】
【課題を解決するための手段】
上記の目的を達成するために、本発明のデジタル無線機は、フォワード部前後のレベルを検出し、その差が常に一定となるようフォワードゲインＡを調整することにより、送信特性の安定性を保つことを可能にしたものである。
【００１８】
【発明の実施の形態】
本発明の実施例を図１によって説明する。図１は本発明を用いたデジタル無線機の送信部の構成を示すブロック図である。従来技術で説明した図４の構成要素と同一の機能の構成要素には同一の番号を付した。
【００１９】
以下、図１について説明する。図１において、１はデジタル変調信号入力端子、２は加算器、３はフォワード部、４は信号出力端子、５はフィードバック部、６はコンパレータ、７は比較値設定部、８はフォワードゲイン調整部である。また、９はフォワード部出力レベル検波部、１０はフォワード部入力レベル検波部、１１は加算器、１２はセレクタ、１３は初期値格納メモリ、１４はコンパレータ、１５はセレクタ、１６はレベル検波部、１７はセレクタ、１８は初期値格納メモリ、１９はコンパレータ、２０はフィードバックゲイン調整部である。フィードバックゲインの調整方法は従来技術の実施例に示すとおりであるため、ここでの説明は省略する。
【００２０】
以下、フォワードゲインの調整方法について説明する。
まず、初期調整として、セレクタ１２およびセレクタ１５を１側に接続し、従来技術の実施例に記したように初期フォワードゲイン調整を行う。この時、加算器１１において、初期フォワードゲイン調整終了時のフォワード部３の出力レベルをフォワード部出力レベル検波部９で検波した検波出力から、フォワード部３の入力レベルをフォワード部入力レベル検波部１０で検波した検波出力を減算し、減算した結果を初期値格納メモリ１３に格納しておく。
【００２１】
次に、通常送信時の調整方法を説明する。この時、セレクタ１２およびセレクタ１５は２側に接続し、デジタル変調信号入力端子１より変調信号を入力する。フォワードゲイン調整値はフォワードゲイン調整部８に格納してある調整値を初期調整値とする。上記同様加算器１１において、フォワード部３の出力レベルをフォワード部出力レベル検波部９で検波した検波出力から、フォワード部３の入力レベルをフォワード部入力レベル検波部１０で検波した検波出力を減算し、コンパレータ１４にて初期値格納メモリ１３に格納された初期値データと加算器１１の出力結果を比較し、この２値が一致するようにフォワードゲイン調整部８の初期調整値を補正してフォワード部３のフォワードゲインを常に調整し続ける。
【００２２】
以上により、常時フォワードゲインの調整が可能となる。
また、第２の実施例を図２によって説明する。
【００２３】
図２において、１はデジタル変調信号入力端子、２は加算器、３はフォワード部、４は信号出力端子、５はフィードバック部、８はフォワードゲイン調整部、９はフォワード部出力レベル検波部、１０はフォワード部入力レベル検波部、１１は加算器、１２はセレクタ、１３は初期値格納メモリ、１４はコンパレータ、１６はレベル検波部、１７はセレクタ、１８は初期値格納メモリ、１９はコンパレータ、２０はフィードバックゲイン調整部である。フィードバックゲインの調整方法は従来技術の実施例に示すとおりであるため、ここでの説明は省略する。
【００２４】
以下、フォワードゲインの初期調整方法について説明する。
まず、セレクタ１２を１側に接続し、デジタル変調信号入力端子１より変調信号を入力する。この時、フォワード部３のフォワードゲインＡの初期調整値を設計値（理論値）に設定しておき、加算器１１において、フォワード部３の出力レベルをフォワード部出力レベル検波部９で検波した検波出力から、フォワード部３の入力レベルをフォワード部入力レベル検波部１０で検波した検波出力を減算し、減算した結果を初期値格納メモリ１３に格納しておく。
【００２５】
次に、通常送信時の調整方法を説明する。この時、セレクタ１２は２側に接続し、フォワードゲイン調整値はフォワードゲイン調整部８で格納してある初期調整値とする。コンパレータ１４にて初期値格納メモリ１３に格納したデータと加算器１１の出力結果を比較し、この２値が一致するようにフォワードゲイン調整部８の初期調整値を補正してフォワード部３のフォワードゲインを常に調整し続ける。
【００２６】
以上により、常時フォワードゲインの調整が可能となる。
【００２７】
【発明の効果】
以上のように本発明の実施例によれば、フォワードゲインおよびフィードバックゲインを常時調整することが可能となり、温度変化や経年変化等による歪みの改善量の劣化を防ぎ、より送信特性の安定性を保つことが可能となる。
【図面の簡単な説明】
【図１】本発明第一の実施例を示すデジタル無線機の送信部のブロック図。
【図２】本発明第二の実施例を示すデジタル無線機の送信部のブロック図。
【図３】負帰還方式リニアライザの原理構成図。
【図４】従来のデジタル無線機の送信部を示すブロック図。
【符号の説明】１：デジタル変調信号入力端子、２：加算器、３：フォワード部、４：信号出力端子、５：フィードバック部、６：コンパレータ、７：比較値設定部、８：フォワードゲイン調整部、９：フォワード部出力レベル検波部、１０：フォワード部入力レベル検波部、１１：加算器、１２：セレクタ、１３：初期値格納メモリ、１４：コンパレータ、１５：セレクタ、１６：レベル検波部、１７：セレクタ、１８：初期値格納メモリ、１９：コンパレータ、２０：フィードバックゲイン調整部。
【図１】
2004356686.tif 000004
【図２】
2004356686.tif 000005
【図３】
2004356686.tif 000006
【図４】
2004356686.tif 000007